【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
第１構造部品と第２構造部品との間に形成される隙間を閉塞する燃料タンク用ダムであって、
前記第１構造部品側に配置される第１部分と、
前記第２構造部品側に配置される第２部分と、
一端で前記第１部分に支持され、他端で前記第２部分に支持され、前記第１部分と前記第２部分との間に形成される隙間を閉塞する弾性部材と、
前記第１部分と前記弾性部材との間をシールするシール機構と
を具備し、
前記シール機構は、前記弾性部材に設けられたリップシール部を有する
燃料タンク用ダム。
【請求項２】
請求項１に記載された燃料タンク用ダムであって、
前記第１部分は、
前記第１構造部品上に配置される第１部材と、
前記第１部材上に配置された第２部材とを備え、
前記弾性部材の一端は、前記第１部材と前記第２部材とによって挟まれることにより支持されている
燃料タンク用ダム。
【請求項３】
請求項２に記載された燃料タンク用ダムであって、
前記リップシール部は、前記第１部分の一部を挟むように構成された第１リップシール部分及び第２リップシール部分を備えている
燃料タンク用ダム。
【請求項４】
請求項３に記載された燃料タンク用ダムであって、
前記第１部材および前記第２部材のうちの一方の部材は、前記第１部材及び前記第２部材の他方の部材と接触する接触部を有し、
前記シール機構は、更に、
前記接触部から、前記他方の部材との間に空間が形成されるように伸びる第１延在部と
前記第１延在部から前記他方の部材側に向かって伸びる第２延在部とを備え、
前記第１リップシール部分及び前記第２リップシール部分は、前記第２延在部を挟んでいる
燃料タンク用ダム。
【請求項５】
請求項４に記載された燃料タンク用ダムであって、
前記シール機構は、更に、前記第２延在部よりも先端側において、前記第１延在部から前記他方の部材側へ向かって伸びる第３延在部を備え、
前記弾性部材の一端は、前記第３延在部と前記他方の部材とによって挟まれている
燃料タンク用ダム。
【請求項６】
請求項４又は５に記載された燃料タンク用ダムであって、
前記第１リップシール部分は、前記空間内における前記第２延在部の内側に配置されており、
前記シール機構は、更に、支え部を備え、
前記支え部は、前記第１リップシール部分が前記第２延在部に押し付けられるように、前記第１リップシール部分と前記空間の壁面との間に配置されている
燃料タンク用ダム。
【請求項７】
請求項６に記載された燃料タンク用ダムであって、
前記支え部は、前記弾性部材の一部である
燃料タンク用ダム。
【請求項８】
請求項６に記載された燃料タンク用ダムであって、
前記支え部は、前記弾性部材とは別に設けられた支え部材を含んでいる
燃料タンク用ダム。
【請求項９】
請求項６に記載された燃料タンク用ダムであって、
前記支え部は、前記第１リップシール部分と前記空間の壁面との間に充填されたシーラント部を備えている
燃料タンク用ダム。
【請求項１０】
第１構造部品と第２構造部品との間に形成される隙間を閉塞する燃料タンク用ダムであって、
前記第１構造部品側に配置される第１部分と、
前記第２構造部品側に配置される第２部分と、
一端で前記第１部分に支持され、他端で前記第２部分に支持され、前記第１部分と前記第２部分との間に形成される隙間を閉塞する弾性部材と、
前記第１部分と前記弾性部材との間をシールするシール機構と
を具備し、
前記第１部分は、
前記第１構造部品上に配置される第１部材と、
前記第１部材上に配置された第２部材と
を備え、
前記弾性部材の一端は、前記第１部材と前記第２部材とによって挟まれることにより支持されている
燃料タンク用ダム。
【請求項１１】
請求項１０に記載された燃料タンク用ダムであって、
前記第１部材および前記第２部材のうちの一方の部材は、前記第１部材及び前記第２部材の他方の部材と接触する接触部を有し、
前記シール機構は、
前記接触部から、前記他方の部材との間に空間が形成されるように伸びる第１延在部と
前記第１延在部から前記他方の部材側に向かって伸びる第２延在部と、
前記弾性部材に設けられたシール部と、
前記空間内における前記第２延在部の内側に配置された支え部と
を備え、
前記シール部は、前記空間内における前記第２延在部の内側に配置されており、
前記支え部は、前記シール部が前記第２延在部に押し付けられるように、前記シール部と前記空間の壁面との間に配置されている
燃料タンク用ダム。
【請求項１２】
請求項１０に記載された燃料タンク用ダムであって、
前記第１部材および前記第２部材のうちの一方の部材は、前記第１部材及び前記第２部材の他方の部材と接触する接触部を有し、
前記シール機構は、更に、
前記接触部から、前記他方の部材との間に空間が形成されるように伸びる延在部と
前記弾性部材の一端に設けられた圧縮部とを備え、
前記圧縮部は、前記延在部と前記他方の部材とによって挟まれることにより圧縮されている
燃料タンク用ダム。
【請求項１３】
請求項１０に記載された燃料タンク用ダムであって、
前記第１部材および前記第２部材のうちの一方の部材は、前記第１部材及び前記第２部材の他方の部材と接触する接触部を有し、
前記シール機構は、更に、
前記接触部から、前記他方の部材との間に空間が形成されるように伸びる延在部と
前記空間内に配置された圧縮部材と
を備え、
前記弾性部材の一端は、前記空間内に配置されており、
前記圧縮部材は、前記弾性部材の一端と前記延在部との間に圧縮されて配置されている
燃料タンク用ダム。
【請求項１４】
請求項１０に記載された燃料タンク用ダムであって、
前記シール機構は、
前記弾性部材の一端と前記第１部材との間に設けられた第１シーラント部と、
前記弾性部材の一端と前記第２部材との間に設けられた第２シーラント部と
を備える
燃料タンク用ダム。
【請求項１５】
請求項１０に記載された燃料タンク用ダムであって、
前記シール機構は、前記第１部分と前記弾性部材の一端の形状により形成されるラビリンスシール構造を有しており、
前記ラビリンスシール構造は、シーラントで埋められている
燃料タンク用ダム。
【請求項１６】
請求項１０に記載された燃料タンク用ダムであって、
前記シール機構は、更に、
前記第１部材に設けられ、前記第２部材に接触する第１部材接触部と、
前記第１部材接触部から、前記第２部材との間に空間が形成されるように伸びる第１部材延在部と、
前記第１部材延在部から前記第２部材側に向かって伸びる第１部材挟持部と、
前記第２部材に設けられ、前記第１部材接触部に接触する第２部材接触部と、
前記第２部材接触部から、前記第１部材との間に前記空間が形成されるように伸びる第２部材延在部と、
前記第２部材延在部から前記第１部材側に向かって伸びる第２部材挟持部と、
前記弾性部材に設けられ、前記空間内において前記第１部材に押し付けられる第１リップシール部分と、
前記弾性部材に設けられ、前記空間内において前記第２部材に押し付けられる第２リップシール部分と
を備え、
前記弾性部材は、前記第１部材挟持部と前記第２部材挟持部とによって挟持されている
燃料タンク用ダム。
【請求項１７】
請求項１乃至１６のいずれかに記載された燃料タンク用ダムであって、
前記第１構造部品は、第１方向に沿って伸びており、
前記第２構造部品は、前記第１方向に垂直な平面に沿って配置されており、
前記第２構造部品の端部には、切り欠き部が設けられており、
前記第１構造部品は、前記切り欠き部を通るように配置されており、
前記弾性部材は、前記切り欠き部における前記第１構造部品と前記第２構造部品との間の隙間を閉塞するように構成されている
燃料タンク用ダム。
【請求項１８】
一端で燃料タンクに用いられる第１構造部品に接触し、他端で前記燃料タンクに用いられる第２構造部品に接触するように構成された弾性部材
を具備し
前記弾性部材の一端は、ファスナーにより前記第１構造部品に締結され、
前記弾性部材の他端は、ファスナーにより前記第２構造部品に締結され、
前記弾性部材は、前記第１構造部品と前記第２構造部品との間の隙間を閉塞するように配置される
燃料タンク用ダム。
【請求項１９】
燃料タンクに用いられる第１構造部品に接合する第１樹脂部材と、
燃料タンクに用いられる第２構造部品に接合する第２樹脂部材と、
一端で前記第１樹脂部材に埋め込まれ、他端で前記第２樹脂部材に埋め込まれる弾性部材と
を具備し、
前記弾性部材は、前記第１構造部品と前記第２構造部品との間の隙間を閉塞するように配置される
燃料タンク用ダム。
【請求項２０】
請求項１９に記載された燃料タンク用ダムであって、
前記弾性部材の一端及び他端には、それぞれ、凹凸構造が設けられている
燃料タンク用ダム。
【請求項２１】
請求項１９又は２０に記載された燃料タンク用ダムであって、
前記弾性部材の一端と前記第１樹脂部材との接合部において、前記弾性部材及び前記第１樹脂部材の何れか一方には、表面を粗くする表面処理が施されており、
前記弾性部材の他端と前記第２樹脂部材との接合部において、前記弾性部材及び前記第２樹脂部材の何れか一方には、表面を粗くする表面処理が施されている
燃料タンク用ダム。